(57)【要約】【課題】温蔵室と冷蔵室の間で空気の移動が起こる事態を抑制可能な冷温蔵装置を提供する。【解決手段】第１トレイ８０Ａ及び第２トレイ８０Ｂは、それぞれ仕切壁４０の連通空間Ｓを貫通することで、冷蔵室１２と温蔵室１１の双方に亘って配される構成とされ、連通空間Ｓは、第１トレイ８０Ａが貫通される第１空間Ｓ１と、第２トレイ８０Ｂが貫通される第２空間Ｓ２と、第１空間Ｓ１に対する第１トレイ８０Ａの連結部８３が通過可能な通路Ｓ３と、を備え、第１トレイ８０Ａが通路Ｓ３を通過する際には、可動部材５０の対向面５１が第１トレイ８０Ａの周端面８４に押圧され、可動部材５０が上昇することで通路Ｓ３を開放する構成とされ、連通空間Ｓのうち、対向面５１と第１トレイ８０Ａの周端面８４との間の空間Ｓ４を、冷蔵室１２側から覆うカバー部材６０Ａを備えていることに特徴を有する。【選択図】図１４
2015150039.tif 000002
【特許請求の範囲】
【請求項１】
断熱箱と、
前記断熱箱の内部を冷蔵室と温蔵室とに仕切る仕切壁と、
前記断熱箱の内部において、水平面内であって前記仕切壁の壁面方向に沿って互いに配列される第１トレイ及び第２トレイと、を備える冷温蔵装置であって、
前記仕切壁には、前記第１トレイと前記第２トレイの配列方向に沿って延び、前記冷蔵室及び前記温蔵室を連通する連通空間が設けられ、
前記第１トレイ及び前記第２トレイは、それぞれ前記連通空間を貫通することで、前記冷蔵室と前記温蔵室の双方に亘って配される構成とされ、
前記連通空間は、
前記第１トレイが貫通される第１空間と、
前記第２トレイが貫通される第２空間と、
前記第１空間と前記第２空間とを連通し、前記第１空間に対する前記第１トレイの貫通部分が通過可能な通路と、を備え、
前記第１トレイの前記貫通部分が前記通路を介して前記第１空間と前記第２空間との間を移動可能とされ、
前記仕切壁には、上下動可能な可動部材が前記通路を塞ぐ形で設けられ、
前記可動部材は、前記第１トレイが前記通路を通過する場合において、その通過前に前記第１トレイの周端面と対向する対向面を有しており、
前記対向面は、前記第１トレイの前記周端面に対して所定の角度をなしており、
前記第１トレイが前記通路を通過する際には、前記対向面が前記第１トレイの前記周端面に押圧され、前記可動部材が上昇又は下降することで前記通路を開放する構成とされ、
前記連通空間のうち、前記対向面と前記第１トレイの前記周端面との間の空間を、前記冷蔵室側又は前記温蔵室側のうち、いずれか一方側から覆うカバー部材を備え、
前記カバー部材は、前記連通空間の延設方向と直交する方向に沿う軸を回動軸として回動可能に設けられている冷温蔵装置。
【請求項２】
前記仕切壁には、前記第１トレイの前記貫通部分に対して上方又は下方から当接する当接部材が上下動可能に設けられ、
前記当接部材は、前記可動部材と対向する当接部材対向面を有しており、
前記カバー部材における前記当接部材側の面は、前記当接部材対向面に倣う形状をなし、
前記第１トレイの前記貫通部分が前記第１空間に配されていない状態では、前記カバー部材が、前記対向面と前記当接部材対向面との間の空間を、前記冷蔵室側又は前記温蔵室側のうち、いずれか一方側から覆う構成である請求項１に記載の冷温蔵装置。
【請求項３】
前記カバー部材は、前記可動部材に対して回動可能に取り付けられている請求項１又は請求項２に記載の冷温蔵装置。
【発明の詳細な説明】
【技術分野】
【０００１】
本発明は、冷温蔵装置に関する。
【背景技術】
【０００２】
従来、冷蔵室と温蔵室を備えた冷温蔵装置として、下記特許文献１に記載のものが知られている。特許文献１のものでは、一枚のトレイが冷蔵室及び温蔵室の双方に跨って配置されている。これにより、トレイ上に載置された冷食用の食品及び温食用の食品をそれぞれ適切な温度とすることができる。上記特許文献１の構成では、一枚のトレイを冷蔵室及び温蔵室に跨って配置するために、冷蔵室及び温蔵室を仕切る仕切壁に、冷蔵室と温蔵室とを連通する連通部が設けられ、トレイは、連通部に貫通する形で配されている。
【０００３】
また、特許文献１のものでは、トレイが水平方向に２枚配列されている。つまり、連通部は、水平方向に配列された２枚のトレイに対応した各空間を備えている。トレイは、連通部に沿ってスライド移動可能となっており、２つの空間を繋ぐ通路には、上下動可能な可動部材が設けられている。可動部材によって、通路を塞ぐことで、通路を通じて冷蔵室及び温蔵室が連通されることを抑制している。
【０００４】
ここで、一方の空間に配されたトレイを他方の空間まで移動させる場合（つまりパススルーを行う場合）には、トレイの周端面によって可動部材を押圧し、上昇させることで、通路を開放することができる。
【先行技術文献】
【特許文献】
【０００５】
【特許文献１】特開２０１１−６７２８８号公報
【発明の概要】
【発明が解決しようとする課題】
【０００６】
しかしながら、トレイの周端面によって可動部材を押圧して上昇させるためには、可動部材の被押圧面を、トレイの周端面に対して異なる角度とする（傾かせる）必要がある。このため、トレイの周端面と被押圧面の間に隙間が生じる。すると、この隙間を通じて、温蔵室と冷蔵室との間で空気の移動が起こり、温蔵室及び冷蔵室の温度が変化する事態が懸念される。
【０００７】
本発明は上記のような事情に基づいて完成されたものであって、温蔵室と冷蔵室の間で空気の移動が起こる事態を抑制可能な冷温蔵装置を提供することを目的とする。
【課題を解決するための手段】
【０００８】
上記課題を解決するために、本発明は、断熱箱と、前記断熱箱の内部を冷蔵室と温蔵室とに仕切る仕切壁と、前記断熱箱の内部において、水平面内であって前記仕切壁の壁面方向に沿って互いに配列される第１トレイ及び第２トレイと、を備える冷温蔵装置であって、前記仕切壁には、前記第１トレイと前記第２トレイの配列方向に沿って延び、前記冷蔵室及び前記温蔵室を連通する連通空間が設けられ、前記第１トレイ及び前記第２トレイは、それぞれ前記連通空間を貫通することで、前記冷蔵室と前記温蔵室の双方に亘って配される構成とされ、前記連通空間は、前記第１トレイが貫通される第１空間と、前記第２トレイが貫通される第２空間と、前記第１空間と前記第２空間とを連通し、前記第１空間に対する前記第１トレイの貫通部分が通過可能な通路と、を備え、前記第１トレイの前記貫通部分が前記通路を介して前記第１空間と前記第２空間との間を移動可能とされ、前記仕切壁には、上下動可能な可動部材が前記通路を塞ぐ形で設けられ、前記可動部材は、前記第１トレイが前記通路を通過する場合において、その通過前に前記第１トレイの周端面と対向する対向面を有しており、前記対向面は、前記第１トレイの前記周端面に対して所定の角度をなしており、前記第１トレイが前記通路を通過する際には、前記対向面が前記第１トレイの前記周端面に押圧され、前記可動部材が上昇又は下降することで前記通路を開放する構成とされ、前記連通空間のうち、前記対向面と前記第１トレイの前記周端面との間の空間を、前記冷蔵室側又は前記温蔵室側のうち、いずれか一方側から覆うカバー部材を備え、前記カバー部材は、前記連通空間の延設方向と直交する方向に沿う軸を回動軸として回動可能に設けられていることに特徴を有する。
【０００９】
本発明によれば、可動部材の対向面と第１トレイの周端面との間の空間を覆うカバー部材を備えており、当該空間を通じて温蔵室と冷蔵室の間で空気の移動が起こる事態を抑制できる。また、カバー部材は、連通空間の延設方向と直交する方向に沿う軸を回動軸として回動可能に設けられている。このため、第１トレイを通路を通過する際に、第１トレイによってカバー部材を押圧し、回動させることができる。これにより、カバー部材が第１トレイを移動させる際の妨げになることがない。
【００１０】
また、前記仕切壁には、前記第１トレイの前記貫通部分に対して上方又は下方から当接する当接部材が上下動可能に設けられ、前記当接部材は、前記可動部材と対向する当接部材対向面を有しており、前記カバー部材における前記当接部材側の面は、前記当接部材対向面に倣う形状をなし、前記第１トレイの前記貫通部分が前記第１空間に配されていない状態では、前記カバー部材が、前記対向面と前記当接部材対向面との間の空間を、前記冷蔵室側又は前記温蔵室側のうち、いずれか一方側から覆う構成とすることができる。このような構成とすれば、第１トレイが収納されていない場合において、対向面と当接部材対向面との間の空間を通じて温蔵室と冷蔵室の間で空気の移動が起こる事態を抑制できる。
【００１１】
また、前記カバー部材は、前記可動部材に対して回動可能に取り付けられているものとすることができる。このようにすれば、可動部材が上昇（又は下降）する際に、カバー部材を上昇（又は下降）させることができる。これにより、カバー部材を第１トレイの移動経路から退避させ易くなる。
【発明の効果】
【００１２】
本発明によれば、温蔵室と冷蔵室の間で空気の移動が起こる事態を抑制可能な冷温蔵装置を提供することができる。
【図面の簡単な説明】
【００１３】
【図１】本発明の一実施形態に係る冷温蔵装置を示す斜視図
【図２】図１の冷温蔵装置を示す分解斜視図
【図３】冷温蔵装置を示す断面図（正面視）
【図４】フレームカートを示す斜視図
【図５】フレームカートを示す正面図（トレイが収納されている状態）
【図６】フレームカートを示す断面図（図５のＶＩ−ＶＩ線で切断した図に対応）
【図７】フレームカートを示す平面図
【図８】フレームカートを示す正面図（トレイが収納されていない状態）
【図９】フレームカートを示す断面図（図８のＩＸ−ＩＸ線で切断した図に対応）
【図１０】単位仕切壁を示す斜視図
【図１１】可動部材及びカバー部材を示す斜視図
【図１２】可動部材及びカバー部材を示す分解斜視図
【図１３】可動部材及びカバー部材を示す平面図
【図１４】図６において可動部材付近を拡大して示す図
【図１５】第１トレイを移動させる過程を示す図
【図１６】図９において可動部材付近を拡大して示す図
【発明を実施するための形態】
【００１４】
本発明の一実施形態を図１ないし図１６によって説明する。本実施形態に係る冷温蔵装置１３は、図１及び図２に示すように、トレイ８０を収納するカート１０と、カート１０を出し入れ可能に収納するステーション７０と、を備えている。なお、本実施形態では、ステーション７０からカート１０を出す方向を前方、ステーション７０に対してカート１０を入れる方向を後方とし、この前後方向と水平に交差する方向を左右方向、前後方向と垂直に交差する方向を上下方向とする。
【００１５】
カート１０（配膳車）は、図２に示すように、断熱箱からなるカート本体２０と、トレイ８０を収納するフレームカート３０とから構成されている。カート本体２０は前後両面が開放されており、その開口部にはそれぞれ観音開き式の断熱扉２１が装着されている。また、カート本体２０の底面にはキャスタ２２が設けられている。これにより、使用者は、カート本体２０の前面に設けられた把手２５を把持しつつ、カート本体２０を移動させることができる。
【００１６】
フレームカート３０は、底板３３を有し、底板３３の左右の側縁から金属製のフレーム３１がそれぞれ立ち上がっている。また、底板３３の底面にはキャスタ３２が設けられている。これにより、フレームカート３０を移動させることで、カート本体２０の内部に前面側から出し入れが可能となっている。フレームカート３０の左右方向の略中央部分には、前後方向全域に亘って仕切壁４０が設けられている。仕切壁４０の詳細については後述する。
【００１７】
図３に示すように、フレームカート３０を、カート本体２０に収納した状態では、カート本体２０の内部が仕切壁４０によって左右に仕切られる。これにより、前後の断熱扉２１を閉じると、仕切壁４０の左側に温蔵室１１が、右側に冷蔵室１２が形成される。温蔵室１１には、ステーション７０側で生成された暖気又は冷気が循環供給され、冷蔵室１２には、ステーション７０側で生成された冷気が循環供給される構成となっている。
【００１８】
カート本体２０の左右の側壁には、略全面にわたる空気流通路Ｌ１がそれぞれ設けられている。これにより、温蔵室１１と冷蔵室１２には複数段に亘って各空気流通路Ｌ１から温風又は冷気が吹き出される。カート本体２０の天井壁の左右両側縁部には、上記の空気流通路Ｌ１の上端と連通するようにして、それぞれ前後方向に細長い吹出通口２３が形成されている。一方、天井壁の中央部には、温蔵室１１又は冷蔵室１２と個別に連通する吸込通口２４が形成されている。
【００１９】
ステーション７０は、正面が開口された略箱形をなし、その開口を通じてカート１０を出し入れ可能となっている。ステーション７０の上部には、図３に示すように、２つの熱交換室が水平方向に並んで区画形成されている。温蔵室１１の上方に配された第１熱交換室７１（正面視左側の熱交換室）には冷却器からなる冷却手段とヒータからなる加熱手段とが設けられ、冷蔵室１２の上方に配された第２熱交換室７２（正面視右側の熱交換室）には冷却手段のみが設けられている。また、両熱交換室７１、７２にはファン７５がそれぞれ設けられている。
【００２０】
第１熱交換室７１の底部及び第２熱交換室７２の底部には、導入通口７３がそれぞれ設けられている。各導入通口７３は、温蔵室１１の吸込通口２４と、冷蔵室１２の吸込通口２４の上方にそれぞれ配されている。各導入通口７３は、対応する吸込通口２４とそれぞれ接続されている。また、第１熱交換室７１の底部及び第２熱交換室７２の底部には、帯状の導出通口７４がそれぞれ設けられている。各導出通口７４は、温蔵室１１の吹出通口２３と冷蔵室１２の吹出通口２３にそれぞれ接続される。カート１０がステーション７０内に収納されて、対応する通口同士が接続されると、第１熱交換室７１と温蔵室１１の間、並びに第２熱交換室７２と冷蔵室１２の間に、それぞれ空気の循環路が形成されるようになっている。
【００２１】
本実施形態の冷温蔵装置の使用例としては、まず、調理等の準備をした温食と冷食とをトレイ８０に盛って、冷凍庫内においてチルド保存する。次に、翌朝等に冷凍庫からトレイ８０を取り出して、各トレイ８０をカート１０の温蔵室１１と冷蔵室１２とに亘って複数段に収納し、カート１０をステーション７０に入れる。また、上記チルド保存は、食品を盛り付けた各トレイ８０をフレームカート３０に収納した状態で行ってもよい。カート１０がステーション７０に入れられると、初めは、両熱交換室７１、７２の両冷却手段が作動され、温蔵室１１と冷蔵室１２とには共に冷気が循環供給されることで、トレイ８０に載せられた温食と冷食が共に冷蔵される。
【００２２】
所定時間が経過すると、ステーション７０に設けられたタイマの作動により、第１熱交換室７１では、冷却手段から加熱手段の作動に切り替わる。一方、第２熱交換室７２では、引き続き冷却手段が作動された状態が維持される。これにより、温蔵室１１内には暖気が循環されることで解凍された温食が再加熱され、一方、冷蔵室１２内では庫内設定温度が少し下げられ、冷食は引き続いて冷蔵保存される。配膳時刻となったら、カート１０がステーション７０から引き出され、トレイ８０が取り出されて配膳に供されるようになっている。配膳が終了すると、フレームカート３０のみが配膳場所に残され、下膳用に用いられる。
【００２３】
次に、トレイ８０及びフレームカート３０の構成について、詳しく説明する。トレイ８０は、例えば、合成樹脂とされ、平面視矩形状をなしている。トレイ８０は、図４及び図７に示すように、温蔵室１１に配される温蔵側トレイ部８１と、冷蔵室１２に配される冷蔵側トレイ部８２と、温蔵側トレイ部８１と冷蔵側トレイ部８２とを連結する連結部８３と、を備えている。温蔵側トレイ部８１及び冷蔵側トレイ部８２は、それぞれ上方に開口された凹部を有しており、凹部の底面に食品が載置される。
【００２４】
図４に示すように、フレーム３１の内側には、前後方向に延びる支持板３４が複数段に積み重なるように設けられている。トレイ８０における左右方向の端部は、左右のフレーム３１，３１の支持板３４によってそれぞれ支持されている。これにより、トレイ８０は、フレームカート３０内において水平状態で配置される。本実施形態では、水平面内であって前後方向（仕切壁４０の壁面方向）に沿って互いに配列された一対のトレイ８０，８０が上下方向に複数段積層されている。以下の説明では、前側に配されるトレイ８０を第１トレイ８０Ａと呼び、後側に配されるトレイ８０を第２トレイ８０Ｂと呼ぶものとする。
【００２５】
仕切壁４０は、図８及び図９に示すように、前後方向に長い長手状をなす単位仕切壁４１を、複数段に積層することで構成されている。単位仕切壁４１は、図１０に示すように、下方に開口された略箱状をなしている。単位仕切壁４１の内部には、当接部材４３と可動部材５０がそれぞれ収納されている。また、単位仕切壁４１は、左右方向に延びる連結部材４２を介して両フレーム３１にそれぞれ固定されている。上下方向に隣り合う２つの単位仕切壁４１，４１は、上下方向にわずかに隙間を空けるように配されている。このため、上下方向に隣り合う２つの単位仕切壁４１，４１の間には、連通空間Ｓが形成されている。
【００２６】
連通空間Ｓは、第１トレイ８０Ａと第２トレイ８０Ｂの配列方向に沿って延びており、温蔵室１１と冷蔵室１２を連通するものとされる。第１トレイ８０Ａ及び第２トレイ８０Ｂは、連通空間Ｓを貫通することで、温蔵室１１と冷蔵室１２の双方に亘って（跨って）配されている。連結空間Ｓは、仕切壁４０の前後方向の全長に亘って延びている。連結空間Ｓは、図６に示すように、第１トレイ８０Ａの連結部８３（貫通部分）が貫通される第１空間Ｓ１と、第２トレイ８０Ｂの連結部８３が貫通される第２空間Ｓ２と、第１空間Ｓ１と第２空間Ｓ２とを連通する通路Ｓ３と、を備える。
【００２７】
第１空間Ｓ１、第２空間Ｓ２、通路Ｓ３の高さは、それぞれ連結部８３の厚さよりも大きいものとされる。このため、第１トレイ８０Ａの連結部８３は、通路Ｓ３を通過して、第１空間Ｓ１から第２空間Ｓ２へ移動することができる。また、第２トレイ８０Ｂの連結部８３は、通路Ｓ３を通過して、第２空間Ｓ２から第１空間Ｓ１へ移動することができる。
【００２８】
つまり、トレイ８０は、連通空間Ｓの延設方向（前後方向）に沿ってスライド移動可能となっている。これにより、トレイ８０は、フレームカート３０の前後方向の両側からそれぞれ取り出すことができる。例えば、フレームカート３０の前側に収容されたトレイ８０（第１トレイ８０Ａ）は、フレームカート３０の前側から取り出すことができ、フレームカート３０の後側から取り出すこともできる。
【００２９】
当接部材４３は、図１０に示すように、前後方向に延びる長手状をなし、第１空間Ｓ１、第２空間Ｓ２に対応する形で、それぞれ設けられている。なお、当接部材４３は、左右方向に分かれる２つの部材を組み合わせることで形成されている。当接部材４３は、トレイ８０の短辺方向の長さとほぼ同じ長さで設定されている。当接部材４３は、仕切壁４０に対して上下動可能に取り付けられ、その下端部が、単位仕切壁４１の下面から下方に突出する形で配されている。当接部材４３は、図５に示すように、トレイ８０の連結部８３に対して、上方から当接する構成となっている。これにより、トレイ８０と仕切壁４０の間に隙間が生じる事態を抑制しつつ、連結部８３を当接部材４３の下面と単位仕切壁４１の上面との間に配することができる。また、当接部材４３の下面には、連結部８３の上面に嵌合する突部４４が形成されている（図１０参照）。
【００３０】
また、トレイ８０が配されていない状態では、当接部材４３は、自重によって、トレイ８０が配された状態よりも下降し、図８に示すように、単位仕切壁４１の上面に当接する。このため、トレイ８０が配されていない場合であっても連通空間Ｓを当接部材４３によって塞ぐことができる。また、当接部材４３の延設方向における各端面４３Ａは、図１４に示すように、端部に向かうにつれて上昇する曲面とされる。これにより、トレイ８０を連通空間Ｓに差し入れる際には、トレイ８０の周端面８４で、当接部材４３の端面４３Ａを押圧することで、当接部材４３を上昇させることができる。
【００３１】
可動部材５０は、図１１に示すように、上方が開口された略箱状をなしている。可動部材５０は、図１０に示すように、前後方向において、２つの当接部材４３，４３の間に配されている。可動部材５０の下端部は、図１４に示すように、単位仕切壁４１の下面から下方に突出する形で配されており、通路Ｓ３を塞ぐ形で設けられている。可動部材５０は、通路Ｓ３を塞ぐことで、温蔵室１１と冷蔵室１２との間で空気の移動が起こる事態を抑制するとともに、第１トレイ８０Ａが第２空間Ｓ２側（又は第２トレイ８０Ｂが第１空間Ｓ１側）へ移動することを規制する機能を担っている。
【００３２】
可動部材５０は、単位仕切壁４１に対して上下動可能に取り付けられている。なお、図１１に示すように、可動部材５０には、上下方向に延びるスライド溝５２が形成され、このスライド溝５２は、仕切壁４０に形成されたガイドリブ４５に嵌合されている（図１５参照）。可動部材５０の下部には、トレイ８０の周端面８４と対向する対向面５１が形成されている。この周端面８４は、垂直方向に沿うものとされる。一方、対向面５１は、周端面８４から遠ざかるにつれて下方へ延びる面とされる。つまり、対向面５１は、トレイ８０の周端面８４に対して所定の角度をなしている。これにより、トレイ８０（第１トレイ８０Ａ又は第２トレイ８０Ｂ）が通路Ｓ３を通過する際には、対向面５１がトレイ８０の周端面８４に押圧され、可動部材５０が上昇することで通路Ｓ３を開放する構成となっている。
【００３３】
可動部材５０には、図１１に示すように、一対のカバー部材６０Ａ，６０Ｂが取り付けられている。一対のカバー部材６０Ａ，６０Ｂは、左右方向に延びる軸部６１によって連結されている。可動部材５０の上面には、図１２に示すように、上方が開口された取付孔５０Ａが形成されており、取付孔５０Ａには、軸部６１が嵌合されている。これにより、一対のカバー部材６０Ａ，６０Ｂは、左右方向（連通空間の延設方向と直交する方向）に沿う軸を回動軸として回動可能に設けられている。
【００３４】
カバー部材６０Ａは、図１４に示すように、その下端部６２において、可動部材５０の対向面５１と第１トレイ８０Ａの周端面８４の間に生じる空間Ｓ４（隙間）を冷蔵室１２側（図１４における紙面貫通方向の手前側）から覆う構成となっている。なお、図１４は、空間Ｓ４付近を冷蔵室１２側から見た図である。一方、カバー部材６０Ｂは、その下端部において、空間Ｓ４を温蔵室１１側から覆う構成となっている。
【００３５】
なお、トレイ８０が収容された状態（連結部８３が連結空間Ｓに配されている状態、図１４の状態）では、トレイ８０の周端面８４にカバー部材６０Ａが当接されており、カバー部材６０Ａは、周端面８４から遠ざかるにつれて下降傾斜する姿勢で配されている。一方、トレイ８０が収容されていない状態（図１６の状態）では、カバー部材６０Ａ，６０Ｂは、垂直方向に沿って延びる姿勢（自然状態）で配されている。また、カバー部材６０Ａ，６０Ｂにおける当接部材４３との対向面６４（カバー部材における当接部材側の面）は、当接部材４３の端面４３Ａ（当接部材対向面）の形状に倣う曲面とされる。
【００３６】
このため、トレイ８０が収容されていない状態において、当接部材４３と可動部材５０の間の空間Ｓ６（隙間）をカバー部材６０Ａ，６０Ｂによってそれぞれ覆うことが可能となっている。また、軸部６１には、図１２及び図１３に示すように、可動部材５０の内方に向かうにつれて下降傾斜する形で延びる延設部６３が設けられている。
【００３７】
なお、一対のカバー部材６０Ａ，６０Ｂは、第２空間Ｓ２側にも設けられている。第２空間Ｓ２側では、図１４に示すように、カバー部材６０Ｂが、その下端部において、可動部材５０の対向面５１と第２トレイ８０Ｂの周端面８４との間に生じる空間Ｓ５を冷蔵室１２側から覆う構成となっている。また、第２空間Ｓ２側では、カバー部材６０Ａが、その下端部において、空間Ｓ５を温蔵室１２側から覆う構成となっている。
【００３８】
次に、第１トレイ８０Ａを後側に移動させる際の作用について説明する。作業者が、図１４の状態から、第１トレイ８０Ａを後側（図１４の右側）に移動させると、第１トレイ８０Ａの周端面８４がカバー部材６０Ａの下部を後側に押圧する。これにより、カバー部材６０Ａは、軸部６１を回動軸として、図１４の反時計回りに回動する。
【００３９】
さらに第１トレイ８０Ａを後側に移動させると、周端面８４が可動部材５０の対向面５１を押圧する。対向面５１は、周端面８４から遠ざかるにつれて下方へ延びる面であるから、周端面８４に押圧されることで、可動部材５０が上昇する。これにより、図１５に示すように、通路Ｓ３が開放され、第１トレイ８０Ａの連結部８３が通路Ｓ３を通過することができる。これにより、予め第２トレイ８０Ｂをフレームカート３０から取り外しておけば、第１トレイ８０Ａの連結部８３を第２空間Ｓ２に移動させることができる。
【００４０】
また、可動部材５０が上昇すると、これに取り付けられているカバー部材６０Ａ，６０Ｂも上昇する。このため、第２空間Ｓ２側のカバー部材６０Ｂ（及びカバー部材６０Ａ）は、図１５に示すように、第１トレイ８０Ａよりも高い位置に配される。このため、第１トレイ８０Ａの連結部８３を第２空間Ｓ２に移動させる際には、第２空間Ｓ２側のカバー部材６０Ａ，６０Ｂに第１トレイ８０Ａの周端面８４が当たることはない。なお、第１トレイ８０Ａの連結部８３が通路Ｓ３を通過すると、可動部材５０は、自重によって下降し、通路Ｓ３を塞いだ状態となる。
【００４１】
次に、本実施形態の効果について説明する。本実施形態によれば、可動部材５０の対向面５１と第１トレイ８０Ａの周端面８４との間の空間Ｓ４を覆うカバー部材６０Ａを備えており、当該空間Ｓ４を通じて温蔵室１１と冷蔵室１２の間で空気の移動が起こる事態を抑制できる。また、カバー部材６０Ａは、連通空間Ｓの延設方向と直交する方向に沿う軸を回動軸として回動可能に設けられている。このため、第１トレイ８０Ａが通路を通過する際に、第１トレイ８０Ａによってカバー部材６０Ａを押圧し、回動させることができる。これにより、カバー部材６０Ａが第１トレイ８０Ａを移動させる際の妨げになることがない。
【００４２】
また、仕切壁４０には、第１トレイ８０Ａの連結部８３に対して上方から当接する当接部材４３が上下動可能に設けられ、当接部材４３は、可動部材５０と対向する端面４３Ａを有しており、カバー部材６０Ａにおける対向面６４は、端面４３Ａに倣う形状をなし、第１トレイ８０Ａの連結部８３が第１空間Ｓ１に配されていない状態では、カバー部材６０Ａが、対向面５１と端面４３Ａとの間の空間Ｓ６を、冷蔵室１２側又は温蔵室１１側のうち、いずれか一方側から覆う構成となっている。このような構成とすれば、第１トレイ８０Ａが収納されていない場合において、対向面５１と端面４３Ａとの間の空間Ｓ６を通じて温蔵室１１と冷蔵室１２の間で空気の移動が起こる事態を抑制できる。また、対向面６４は、端面４３Ａに倣う形状（端面４３Ａと並行状）をなしているため、カバー部材６０Ａによって空間Ｓ６をより広範囲で覆うことができる。
【００４３】
また、カバー部材６０Ａは、可動部材５０に対して回動可能に取り付けられている。このようにすれば、可動部材５０が上昇する際に、カバー部材６０Ａを上昇させることができる。これにより、第１トレイ８０Ａが通路Ｓ３を通過する際に、カバー部材６０Ａを第１トレイ８０Ａの移動経路から退避させ易くなる。
【００４４】
また、軸部６１には、延設部６３が設けられている。延設部６３は、軸部６１から下降傾斜するように延びるため、延設部６３の重心は、軸部６１より下方に配される。このため、カバー部材６０Ａ，６０Ｂが回動した後、カバー部材６０Ａ，６０Ｂをより確実に回動前の状態に復帰させることができる。
【００４５】
＜他の実施形態＞
本発明は上記記述及び図面によって説明した実施形態に限定されるものではなく、例えば次のような実施形態も本発明の技術的範囲に含まれる。
（１）上記実施形態では、ステーション７０にカート１０を収容する方式の冷温蔵装置について説明したが、これに限定されない。本発明は、例えば、カート１０側に加熱冷却手段を備えた冷温蔵装置に適用することが可能である。
（２）上記実施形態では、カバー部材６０Ａ，６０Ｂが可動部材５０に取り付けられている構成を例示したが、これに限定されない。カバー部材６０Ａ，６０Ｂが仕切壁４０に対して直接的に取り付けられていてもよい。
（３）上記実施形態では、当接部材４３及び可動部材５０が、それぞれ単位仕切壁４１の下面から下方に突出する構成としたが、これに限定されない。当接部材４３及び可動部材５０は、単位仕切壁４１の上面から上方に突出する構成としてもよい。つまり、当接部材４３は、連結部８３に対して下方から当接してもよい。このような構成の場合には、トレイ８０を挿通する際に、当接部材４３及び可動部材５０を下降させる構成とすればよく、下降した当接部材４３及び可動部材５０は、弾性部材などを用いて元の位置に復帰させる構成とすればよい。
（４）上記実施形態では、可動部材５０の対向面５１を曲面としたが、これに限定されない。対向面５１は、周端面８４に対して所定の角度をなし、トレイ８０の周端面８４に押圧されることで可動部材５０を上昇又は下降させるような角度をなす面であればよい。例えば、対向面５１は、周端面８４から遠ざかるにつれて下降傾斜する傾斜面であってもよい。
（５）上記実施形態では、当接部材４３の端面４３Ａを曲面としたが、これに限定されない。端面４３Ａは、トレイ８０の周端面８４に押圧されることで、可動部材５０を上昇又は下降させるような角度をなす面であればよい。
【符号の説明】
【００４６】
１１…温蔵室、１２…冷蔵室、１３…冷温蔵装置、２０…カート本体（断熱箱）、４０…仕切壁、４３…当接部材、４３Ａ…当接部材４３の端面（当接部材対向面）、５０…可動部材、５１…対向面、６０Ａ，６０Ｂ…カバー部材、６４…カバー部材における対向面（カバー部材における当接部材側の面）、８０Ａ…第１トレイ、８０Ｂ…第２トレイ、８３…連結部（第１トレイの貫通部分）、８４…第１トレイの周端面、Ｓ…連通空間、Ｓ１…第１空間、Ｓ２…第２空間、Ｓ３…通路、Ｓ４…対向面と第１トレイの周端面との間の空間、Ｓ６…対向面と当接部材対向面との間の空間
【図１】
2015150039.tif 000003
【図２】
2015150039.tif 000004
【図３】
2015150039.tif 000005
【図４】
2015150039.tif 000006
【図５】
2015150039.tif 000007
【図６】
2015150039.tif 000008
【図７】
2015150039.tif 000009
【図８】
2015150039.tif 000010
【図９】
2015150039.tif 000011
【図１０】
2015150039.tif 000012
【図１１】
2015150039.tif 000013
【図１２】
2015150039.tif 000014
【図１３】
2015150039.tif 000015
【図１４】
2015150039.tif 000016
【図１５】
2015150039.tif 000017
【図１６】
2015150039.tif 000018